(57)【要約】【課題】成形体に蒸気が直接当たることを防ぎながら、蒸気の熱で成形体を効率良く且つ均一に加熱して、養生時間を短縮することができると共に均一に成形体を養生硬化することができるようにする。【解決手段】窯業系材料を成形した成形体１を養生棚２の上に載置すると共に養生棚２を複数段積み重ね、この養生棚２を蒸気が供給される養生庫に入れ、成形体１を蒸気で加熱して養生硬化させる。この際に、両端部が開口する断面形状に形成されるトレー４の上に成形体１をセットすると共にこの成形体１をセットしたトレー４を養生棚２の上に載置する。そしてこの養生棚２の上に他の養生棚３を積み重ね、上の養生棚２と下の養生棚２の間をトレー４の両端部の開口４ａ以外を閉塞して密閉空間部５とすると共に、トレー４内の空間を端部の開口４ａから蒸気が流入する蒸気流入空間部６とする。【選択図】図１
2008132735.tif 000002
【特許請求の範囲】
【請求項１】
窯業系材料を成形した成形体を養生棚の上に載置すると共に養生棚を複数段積み重ね、この養生棚を蒸気が供給される養生庫に入れ、成形体を蒸気で加熱して養生硬化させるようにした窯業系成形体の養生装置において、両端部が開口する断面形状に形成されるトレーの上に成形体をセットすると共にこの成形体をセットしたトレーを養生棚の上に載置し、この養生棚の上に他の養生棚を積み重ね、上の養生棚と下の養生棚の間をトレーの両端部の開口以外を閉塞して密閉空間部とすると共に、トレー内の空間を端部の開口から蒸気が流入する蒸気流入空間部として成ることを特徴とする窯業系成形体の養生装置。
【請求項２】
請求項１に記載の養生装置に用いられる養生棚であって、上面及び両側面及び両端面が閉塞された下面開口形状に養生棚を形成すると共に両端面を閉塞する閉塞板の下部に、他の養生棚の上に養生棚を重ねた際に下の養生棚の上に載置されたトレーの端部の上面に密接するように、トレーの上面の断面形状と同形状で切欠された嵌合切欠部を設けて成ることを特徴とする窯業系成形体の養生棚。
【請求項３】
養生棚にトレーを複数本並列して載置する際に各トレーの下端の両側端部が係止される位置決め部を、養生棚の上面に設けて成ることを特徴とする請求項２に記載の窯業系成形体の養生棚。
【発明の詳細な説明】
【技術分野】
【０００１】
本発明は、セメント系などの窯業系材料を成形した窯業系成形体の養生装置及び、この養生装置に用いられる養生棚に関するものである。
【背景技術】
【０００２】
建築物の外装材などをセメント系等の窯業系材料で製造するにあたっては、セメント系成形材料などの窯業系材料を成形して窯業系の成形体を作製し、この成形体を養生庫に入れて加熱蒸気雰囲気に置き、加熱蒸気で成形体を加熱して養生・硬化させることによって行なわれている。
【０００３】
そしてこのように窯業系の成形体を養生庫に入れて蒸気養生するにあたっては、養生棚に複数の成形体を載置し、この養生棚を複数段に積み重ねた状態で、養生庫に入れることによって、一度に多数の成形体を蒸気養生することが行なわれている（例えば特許文献１、特許文献２等参照）。
【０００４】
また、窯業系成形体の成形は、トレーの上に窯業系成形材料を供給し、トレーの上で窯業系成形材料をプレス等することによって行なわれることもあり、この場合にはトレーの上に成形した成形体をセットしたままの状態で、トレーを養生棚の上に載置し、この養生棚を同様に複数段に積み重ねて養生庫に入れ、蒸気養生をすることが行なわれている（例えば特許文献３等参照）。
【０００５】
図６はトレー４の上にセットした成形体１を養生する養生棚２の一例を示すものであり、成形体１をセットしたトレー４を複数本、養生棚２の上に載置し、養生棚２の下面に設けた支持脚１５によって複数の養生棚２を積み重ねるようにしてある。そしてこのように積み重ねた状態で養生棚２を養生庫に入れることによって、養生庫に供給される加熱蒸気で成形体１を加熱して養生硬化させることができるものである。
【０００６】
しかし、成形体１がむき出しのまま養生棚２を養生庫に入れて養生する場合、養生庫内に供給される蒸気が成形体１に直接当たるために、成形体１の表面に蒸気の水滴が付着し、この部分に白華等の不良が発生するおそれがある。このため、図６のように、複数段に積み重ねた養生棚２の全体を樹脂シート１６で覆い、蒸気を樹脂シート１６で遮断して、養生棚２の上の成形体１に蒸気が直接当たることを防ぐようにしている。
【特許文献１】特開２００６−１９８９０５号公報
【特許文献２】特開平１１−１５６８３６号公報
【特許文献３】特開平０９−０００９１０号公報
【発明の開示】
【発明が解決しようとする課題】
【０００７】
しかし、上記のように養生棚２を樹脂シート１６で覆うと、蒸気の熱がトレー４上の成形体１に伝わり難くなり、窯業系材料の硬化性が悪くなって、得られた製品の表層や内部に空隙が発生するいわゆるフクレの現象が生じ易くなるものあった。このため、長時間をかけて養生を行なうことによって、フクレの発生を防ぐ必要があるという問題があった。また、成形体１が長尺である場合、成形体１の中央部への伝熱は端部よりも大幅に遅れるために、成形体１を均一に硬化させることが難しいという問題もあった。
【０００８】
本発明は上記の点に鑑みてなされたものであり、成形体に蒸気が直接当たることを防ぎながら、蒸気の熱で成形体を効率良く且つ均一に加熱することができ、養生時間を短縮することができると共に均一に成形体を養生硬化させることができる窯業系成形体の養生装置及び養生棚を提供することを目的とするものである。
【課題を解決するための手段】
【０００９】
本発明の請求項１に係る窯業系成形体の養生装置は、窯業系材料を成形した成形体１を養生棚２の上に載置すると共に養生棚２を複数段積み重ね、この養生棚２を蒸気が供給される養生庫に入れ、成形体１を蒸気で加熱して養生硬化させるようにした窯業系成形体の養生装置において、両端部が開口する断面形状に形成されるトレー４の上に成形体１をセットすると共にこの成形体１をセットしたトレー４を養生棚２の上に載置し、この養生棚２の上に他の養生棚２を積み重ね、上の養生棚２と下の養生棚２の間をトレー４の両端部の開口４ａ以外を閉塞して密閉空間部５とすると共に、トレー４内の空間を端部の開口４ａから蒸気が流入する蒸気流入空間部６として成ることを特徴とするものである。
【００１０】
この発明によれば、トレー４の上にセットした成形体１を上下の養生棚２の間の密閉空間部５に配置した状態で、蒸気が成形体１に直接当たることなく養生をすることができるものである。またトレー４の両端部の開口４ａからトレー４の下面の蒸気流入空間部６に流入する蒸気の熱が、トレー４を通して効率良く、且つトレー４の全長から均一に、成形体１に伝わるものであり、蒸気の熱で成形体１を効率良く均一に加熱することができ、養生時間を短縮することができると共に均一に成形体１を養生硬化させることができるものである。
【００１１】
本発明の請求項２に係る窯業系成形体の養生棚は、上記の請求項１に記載の養生装置に用いられる養生棚２であって、上面及び両側面及び両端面が閉塞された下面開口形状に養生棚２を形成すると共に両端面を閉塞する閉塞板７の下部に、他の養生棚２の上に養生棚２を重ねた際に下の養生棚２の上に載置されたトレー４の端部の上面に密接するように、トレー４の上面の断面形状と同形状で切欠された嵌合切欠部８を設けて成ることを特徴とするものである。
【００１２】
この発明によれば、成形体１をセットしたトレー４を載置した養生棚２の上に養生棚２を積み重ねる際に、トレー４の端部に上の養生棚２の閉塞板７の嵌合切欠部８が嵌合して、上の養生棚２と下の養生棚２の間にトレー４の両端部の開口４ａ以外を閉塞する密閉空間部５を形成することができるものであり、上下の養生棚２の間に密閉空間部５を形成しつつ養生棚２を積み重ねる作業が容易になるものである。
【００１３】
また請求項３の発明は、請求項２において、養生棚２にトレー４を複数本並列して載置する際に各トレー４の下端の両側端部が係止される位置決め部９を、養生棚２の上面に設けて成ることを特徴とするものである。
【００１４】
この発明によれば、トレー４を位置決め部９に係止させることによって、位置決めした状態で養生棚２の上に複数本のトレー４を並列した状態で載置することができるものであり、トレー４を養生棚２の正確な位置に載置する作業を容易に行なうことができるものである。
【発明の効果】
【００１５】
本発明によれば、トレー４の上にセットした成形体１を上下の養生棚２の間に密閉した状態で、蒸気が成形体１に直接作用することなく養生することができるものであり、またトレー４の両端部の開口４ａからトレー４の下面に流入する蒸気の熱が、トレー４を介して成形体１に効率良く且つトレー４の全長に均一に伝わり、蒸気の熱で成形体１を効率良く均一に加熱することができるものであり、養生時間を短縮することができると共に均一に成形体１を養生硬化させることができるものである。
【発明を実施するための最良の形態】
【００１６】
以下、本発明を実施するための最良の形態を説明する。
【００１７】
図２及び図３は養生棚２の一例を示すものであり、一対の短辺枠１９と一対の長辺枠２０を組み付けて矩形の枠体２１を形成し、対向する長辺枠２０の間に短辺枠１９と平行な複数本の横桟２２が取り付けてある。また各長辺枠２０には短辺枠１９や横桟２２を結合した箇所において支持脚２３を下方へ突出するように設けてある。
【００１８】
長辺枠２０と短辺枠１９及び横桟２２で囲まれる部分と、長辺枠２０と隣り合う横桟２２で囲まれる部分には、それぞれ上面板２４を張って取り付けてあり、上面が上面板２４で閉塞されるようにしてある。また長辺枠２０の下側において隣り合う支持脚２３の間に側面板２５を張って取り付けてあり、長辺側の両側面が側面板２５で閉塞されるようにしてある。さらに短辺枠１９の下側において支持脚２３の間に閉塞板７を張って取り付けてあり、短辺側の両端面が閉塞板７で閉塞されるようにしてある。このように養生棚２は上面が上面板２４で、両側面が側面板２５で、両端面が閉塞板７でそれぞれ閉塞され、下面が開口する蓋状に形成されるものである。尚、養生棚２を形成する上記の各部材は、熱伝導性が良好なＳＵＳ等の金属材で形成されるものである。
【００１９】
そして各閉塞板７の下部には、図３に示すように、後述するトレー４の上面の断面形状と同形状・同寸法に切欠して嵌合切欠部８が形成してある。嵌合切欠部８は養生棚２の短辺に沿って一定間隔で閉塞板７の複数個所に形成されるものである。
【００２０】
また横桟２２のうち複数本（図の実施の形態では２本）の上面に位置決め部９を突設して設けてある。位置決め部９は養生棚２の短辺と平行な方向に複数個所において設けられるものであり、隣り合う位置決め部９の間隔は後述するトレー４の下端の幅寸法とほぼ同寸法に設定してある。各位置決め部９は隣り合う嵌合切欠部８の間に対応する位置、及び両端部の嵌合切欠部８の外側端部に対応する位置に設けられるものである。
【００２１】
一方、トレー４は金属板を断面逆Ｖ字形に屈曲した細長い形態に形成されるものであり、トレー４の両端部及び下面が開口した形状に形成されている。トレー４の長さは、養生棚２の対向する閉塞板７の間の距離よりも長い寸法に形成されるものである。このトレー４の上には図４に示すように両端部を除く全長に渡って成形体１がセットしてある。成形体１のトレー４に沿った長さは、養生棚２の対向する閉塞板７の間の距離よりも短い寸法に設定されるものである。この成形体１は、セメント系成形材料など窯業系成形材料をトレー４の上に押し出し、このトレー４の上において成形型で窯業系成形材料をプレス成形することによって、断面Ｌ字形に成形されているものであり、成形体１を養生硬化して得られる製品は例えば家屋の外壁の出隅部材などとして使用されるものである。このようにトレー４の上面形状が断面逆Ｖ字形に形成される場合には、上記の閉塞板７の嵌合切欠部８も逆Ｖ字形に切欠した形状に形成されるものである。
【００２２】
次に、このように成形した成形体１の蒸気養生について説明する。まず、図１（ａ）のように、成形体１を上面にセットしたトレー４を養生棚２の上に載置する。トレー４は長手方向が養生棚２の長辺に沿った向きに配置されるものであり、トレー４の成形体１がセットされていない両端部が閉塞板７よりも外方に突出する位置で養生棚２に載置されるものである。またトレー４は養生棚２の長辺と平行に複数本、養生棚２の短辺に沿って並列して載置されるものであり、このとき、図１（ａ）に示すように、トレー４の下端の両側端部の外側が養生棚２の上面の位置決め部９に係止されることによって、各トレー４は隣り合う位置決め部９の間に位置決めされた状態で養生棚２の上に載置されるものであり、養生棚２の正確な位置に位置ずれすることなく各トレー４を載置することができるものである。
【００２３】
同様にして、成形体１をセットしたトレー４を複数の養生棚２の上に載置した後、養生棚２を上下に複数段重ねる。養生棚２は短辺と長辺を揃えて、上の養生棚２の支持脚２３を下の養生棚２の上に乗せることによって積み重ねることができるものである。そしてこのように養生棚２を重ねると、図１（ｂ）及び図５に示すように、下の養生棚２に載置したトレー４の成形体１がセットされていない端部の上面に、上の養生棚２に設けた閉塞板７の嵌合切欠部８が嵌合して密接し、またこの閉塞板７の下端が下の養生棚２の上面に密接し、上下の養生棚２の短辺側の端部間が閉塞板７で閉塞される。また、上下の養生棚２の長辺側の両側端部間は上の養生棚２の側面板２５で閉塞され、上下の養生棚２の上下は各養生棚２の上面板２４で閉塞されるので、上下の養生棚２の間の空間は閉塞板７、側面板２５、上面板２４で密閉された密閉空間部５となる。
【００２４】
このように成形体１をセットしたトレー４を載置した養生棚２を複数段積み重ねた状態で、蒸気が供給される養生庫（図示省略）内に入れることによって、成形体１を水蒸気の熱で加熱して養生硬化することができるものである。ここで、上記のように養生棚２を上下に複数段重ねることによって、上下の養生棚２の間は密閉空間部５となり、トレー４上の成形体１はこの密閉空間部５内に配置されているので、養生庫に供給される水蒸気が成形体１に直接吹き当てられるようなことがなくなり、水蒸気の水滴が成形体１の表面に付着することを防ぐことができ、水滴の付着で成形体１に白華等の不良が発生することを防ぐことができるものである。
【００２５】
また、上記のように閉塞板７の嵌合切欠部８がトレー４の端部の上面に嵌合して密接することによって、上下の養生棚２の短辺側の端部間は閉塞板７で閉塞されるが、トレー４の両端部は閉塞板７の外側に突出しているので、トレー４の両端部の開口４ａは閉塞板７の外側に露出している。従って養生庫に供給された蒸気はこの開口４ａからトレー４の下面側の空間内に流入することができるものであり、トレー４の下面側のこの空間は蒸気流入空間部６となる。そして養生庫に供給された水蒸気は開口４ａからトレー４の下面の蒸気流入空間部６に流入するので、蒸気流入空間部６に流入した水蒸気の熱が金属製のトレー４を通してトレー４の上の成形体１に伝熱され、成形体１を加熱することができる。
【００２６】
成形体１は上記のように上下の養生棚２の間の密閉空間部５内に配置されており、蒸気が成形体１に直接当たることを防止するようにしているが、成形体１をこのようにトレー４を通して蒸気の熱で直接的に加熱することができるものであり、成形体１を蒸気の熱で効率良く加熱することができるものである。従って、成形体１に蒸気が直接作用して白華などの不良が発生することを防止しつつ、蒸気の熱で成形体１を効率良く加熱することができるものであり、養生時間を短縮することができるものである。また、トレー４の下面の蒸気流入空間部６に流入した蒸気の熱は、トレー４の長手方向全長において均一にトレー４に伝熱されるので、トレー４を通して成形体１を全長に亘って均一に加熱することができるものであり、成形体１を均一に養生硬化させることができるものである。
【００２７】
尚、トレー４は上記のように下面が開口しているので、トレー４の下端と養生棚２の上面板２４の間に隙間が形成されるようにすると、蒸気流入空間部６に流入した水蒸気の一部はトレー４の下端と養生棚２の上面板２４の間の隙間から上下の養生棚２の間の密閉空間部５に侵入し、密閉空間部５内を高湿度に保つことができ、成形体１が乾燥されることによる硬化不良を防ぐことができるものである。また、上記の実施の形態では、トレー４として断面逆Ｖ字形に形成したものを用いたが、この形態のものに限定されるものではなく、両端部と下面が開口する形態のものであれば、任意の異形断面形状のトレー４を用いることができるものである。
【図面の簡単な説明】
【００２８】
【図１】本発明の実施の形態の一例を示すものであり、（ａ）は養生棚にトレーを載置した状態の正面図、（ｂ）は養生棚を積み重ねた状態の正面図である。
【図２】同上の養生棚を示すものであり、（ａ）は平面図、（ｂ）は側面図である。
【図３】同上の養生棚の正面図である。
【図４】同上のトレーと成形体の斜視図である。
【図５】同上の一部の斜視図である。
【図６】従来例を示す一部を断面とした正面図である。
【符号の説明】
【００２９】
１  成形体
２  養生棚
４  トレー
５  密閉空間部
６  蒸気流入空間部
７  閉塞板
８  嵌合切欠部
９  位置決め部
【図１】
2008132735.tif 000003
【図２】
2008132735.tif 000004
【図３】
2008132735.tif 000005
【図４】
2008132735.tif 000006
【図５】
2008132735.tif 000007
【図６】
2008132735.tif 000008